(57)【要約】      （修正有）【課題】癌の検出、診断、モニタリング、ステージング、予後判定、イメージングおよび処置のための新しい方法を提供する。【解決手段】Ｏｖｒ１０７などの遺伝子発現レベル（タンパク質レベルを含む）の測定、そのレベルの調節によって、癌の検出、診断、モニタリング、ステージング、予後判定、イメージングおよび処置に対処することができる。【選択図】なし【特許請求の範囲】
【請求項１】
Ｏｖｒ１０７を含む、癌用診断マーカー。
【請求項２】
Ｏｖｒ１０７が配列番号１を含む、請求項１に記載の診断マーカー。
【請求項３】
患者における癌の存在を診断する方法であって、
（ａ）患者の細胞、組織または体液におけるＯｖｒ１０７のレベルを決定すること、および
（ｂ）決定したＯｖｒ１０７のレベルと、正常ヒト対照からの細胞、組織または体液におけるＯｖｒ１０７のレベルとを比較することを含み、該患者における決定したＯｖｒ１０７レベルの正常ヒト対照に対する変化が癌の存在に関係している、前記方法。
【請求項４】
患者における癌の転移を診断する方法であって、
（ａ）転移したことが知られていない癌を有する患者を特定すること、
（ｂ）該患者からの細胞、組織または体液の試料におけるＯｖｒ１０７のレベルを決定すること、および
（ｃ）決定したＯｖｒ１０７レベルと、正常ヒト対照の細胞、組織または体液におけるＯｖｒ１０７のレベルとを比較することを含み、患者における決定したＯｖｒ１０７レベルの正常ヒト対照に対する増加が転移した癌に関係している、前記方法。
【請求項５】
癌を有する患者における癌のステージングの方法であって、
（ａ）癌を有する患者を特定すること、
（ｂ）該患者からの細胞、組織または体液の試料におけるＯｖｒ１０７のレベルを決定すること、および
（ｃ）決定したＯｖｒ１０７レベルと、正常ヒト対照の細胞、組織または体液におけるＯｖｒ１０７のレベルとを比較することを含み、該患者における決定したＯｖｒ１０７レベルの正常ヒト対照に対する増加が進行している癌に、そして決定したＯｖｒ１０７レベルの低下が消退している癌または寛解期の癌に関係している、前記方法。
【請求項６】
患者において、転移の開始について癌をモニタリングする方法であって、
（ａ）転移したことが知られていない癌を有する患者を特定すること、
（ｂ）該患者からの細胞、組織または体液の試料におけるＯｖｒ１０７のレベルを定期的に決定すること、および
（ｃ）定期的に決定したＯｖｒ１０７レベルと、正常ヒト対照の細胞、組織または体液におけるＯｖｒ１０７のレベルとを比較することを含み、患者における任意の定期的に決定したＯｖｒ１０７レベルの正常ヒト対照に対する増加が転移した癌に関係している、前記方法。
【請求項７】
患者における癌のステージの変化をモニタリングする方法であって、
（ａ）癌を有する患者を特定すること、
（ｂ）該患者からの細胞、組織または体液の試料におけるＯｖｒ１０７のレベルを定期的に決定すること、および
（ｃ）定期的に決定したＯｖｒ１０７レベルと、正常ヒト対照の細胞、組織または体液におけるＯｖｒ１０７のレベルとを比較することを含み、該患者における任意の定期的に決定したＯｖｒ１０７レベルの正常ヒト対照に対する増加がステージの進行している癌に、そして低下がステージの後退している癌または寛解期の癌に関係している、前記方法。
【請求項８】
癌のイメージングおよび処置に用いる潜在的な治療剤を特定する方法であって、Ｏｖｒ１０７への結合能力を減少させる能力について分子をスクリーニングすることを含み、分子のＯｖｒ１０７への結合能力を減少させる能力が、当該分子の癌のイメージングおよび処置における有用性を示す、前記方法。
【請求項９】
Ｏｖｒ１０７に特異的に結合する抗体。
【請求項１０】
患者に請求項９に記載の抗体を投与することを含む、患者において癌をイメージングする方法。
【請求項１１】
抗体が常磁性イオンまたは放射性同位体で標識されている、請求項１０に記載の方法。
【請求項１２】
患者に請求項９に記載の抗体を投与することを含む、患者において癌を処置する方法。
【請求項１３】
抗体が細胞毒性剤と結合している、請求項１２に記載の方法。
【請求項１４】
患者にＯｖｒ１０７の発現または活性を下方調節する分子を投与することを含む、患者において癌を処置する方法。
【請求項１５】
ヒト患者に免疫刺激量のＯｖｒ１０７タンパク質を、標的細胞に対して免疫反応が起こるように送達することを含む、Ｏｖｒ１０７を発現している標的細胞に対して免疫反応を誘導する方法。
【請求項１６】
Ｏｖｒ１０７を含む、癌を処置するためのワクチン。
【発明の詳細な説明】
【発明の属する技術分野】
【０００１】
本発明の一部は、癌、特に卵巣癌の検出、診断、モニタリング、ステージング、予後判定、イメージングおよび処置のための新規に開発されたアッセイに関する。
【背景技術】
【０００２】
女性において、婦人科の癌は悪性腫瘍の４分の１以上を占める。卵巣肉腫は極めて多く見られる婦人科の癌である。女性のおよそ７０人に１人は、その生涯の内に卵巣癌を発症し、１９９５年には１４，５００人が卵巣癌で死亡したと推定されている。実際、卵巣癌は、雌性生殖系のその他の癌に比べてより多くの死をもたらす。
【０００３】
卵巣癌は、何らの顕著な症状をもたらさないことが多い。いくつかの可能な警告信号は、４０歳を超える女性における液体の蓄積による腹部の肥大またははっきりしない消化器系の不調(違和感、ガス貯留または膨満)を含む。膣からの異常出血はまれである。
定期的な、完全な内診が卵巣癌の検出に重要である。パパニコロー検査は卵巣癌を検出しない。４０歳を超える女性には、毎年の内診が推奨される。
【０００４】
癌の検出、診断、モニタリング、ステージングおよび予後判定のために用いられる手順は、患者の予後に関してきわめて重要である。早期に診断された患者の５年生存率は、遠隔転移した癌と診断された患者の生存率より、一般的に大変大きい。早期癌の検出に関してより高感度で特異的な新しい診断方法が明らかに必要とされている。
癌患者は最初の治療の後、および、アジュバント療法の期間中、治療への反応を決定し、持続性疾患または再発性疾患または転移を検出するために、緊密にモニタリングされる。したがってまた、癌の再発の検出に関してより高感度で特異的な癌マーカーが明らかに必要とされている。
【０００５】
癌の管理におけるその他の重要なステップは、患者の疾患のステージを決定することである。ステージの決定は、潜在的な予後判定価値を有しており、最適な治療の設計のために基準を提供する。一般的に、癌の病理学的ステージングは、臨床ステージングよりも好まれるが、これは前者がより正確な予後判定を与えるからである。しかしながら、臨床ステージングは、病理学的評価のために組織を採取する侵襲的な手順に依存しないため、もしそれが病理学的ステージングと同程度に正確なものであれば、好ましいだろう。細胞、組織または体液において、異なる浸潤ステージ間を差別化できる新しいマーカーを検出することにより癌のステージングを改善することができるだろう。
【０００６】
本明細書においてＯｖｒ１０７と呼ばれる新しいマーカーが、様々な癌、そして特に卵巣癌の診断、モニタリング、ステージング、イメージングおよび処置に用いられるものとして同定された。従って、本発明は、Ｏｖｒ１０７を介した癌の検出、診断、モニタリング、ステージング、予後判定、in vivoでのイメージングおよび処置のための新たな方法に関する。Ｏｖｒ１０７は、中でも、配列番号１のポリヌクレオチド配列を含む遺伝子により発現される天然のタンパク質に関する。本明細書で「Ｏｖｒ１０７」はまた、遺伝コードの縮重により、配列番号１に比べて異なる核酸配列を含むが、同じタンパク質をコードしているポリヌクレオチドも意味する。別の側面では、本明細書で用いるＯｖｒ１０７により意味されるものは、配列番号１を含む遺伝子によりコードされる天然のｍＲＮＡを意味し、または、配列番号１を含む遺伝子自体、または、配列番号１のアンチセンス配列にストリンジェントな条件下でハイブリダイズすることが可能なポリヌクレオチドのレベルに関し得る。
【０００７】
本発明のその他の目的、特徴、利点および側面は、以下の説明により当業者に明らかになるだろう。しかしながら、以下の説明および具体例は、本発明の好ましい態様を示しているが、ただ説明のためにのみ与えられていると理解されるべきである。本開示発明の精神および範囲内の様々な変化および変更は、以下の説明を読み、本開示の他の部分を読むことにより、当業者に容易に明らかになるだろう。
【本発明の概要】
【０００８】
これらおよびその他の目標のため、本発明の目的は、Ｏｖｒ１０７を含む癌の診断マーカーを提供することにある。
さらに、細胞、組織または体液におけるＯｖｒ１０７のレベルを、正常ヒト対照の好ましくは同種の細胞、組織または体液におけるＯｖｒ１０７のレベルと比較した場合の変化を分析することにより癌の存在を診断するための方法が提供され、ここでは患者におけるＯｖｒ１０７レベルの正常ヒト対照に対する変化が癌に関係している。
【０００９】
転移を有するとは知られていない癌を有する患者において、転移している癌を有する疑いのあるヒト患者を特定し、このような患者からの細胞、組織または体液試料をＯｖｒ１０７について分析し、このような細胞、組織または体液におけるＯｖｒ１０７のレベルを正常ヒト対照の好ましくは同種の細胞、組織または体液におけるＯｖｒ１０７のレベルと比較することにより、転移性の癌を診断する方法がさらに提供され、ここでは患者におけるＯｖｒ１０７のレベルの正常ヒト対照に対する増加が転移した癌に関係している。
【００１０】
また本発明により、癌を有するヒトにおいて、癌を有するヒト患者を特定し、このような患者からの細胞、組織または体液試料をＯｖｒ１０７について分析し、このような細胞、組織または体液におけるＯｖｒ１０７のレベルを正常ヒト対照の好ましくは同種の細胞、組織または体液におけるＯｖｒ１０７のレベルと比較することにより、癌をステージングする方法も提供され、ここでは患者におけるＯｖｒ１０７のレベルの正常ヒト対照に対する増加が進行している癌に関係し、そして、Ｏｖｒ１０７レベルの減少が消退しているまたは寛解期にある癌に関係している。
【００１１】
さらに、ヒト患者における癌を、転移の開始についてモニタリングする方法が提供される。該方法は、転移を有するとは知られていない癌を有するヒト患者を特定し、このような患者からの細胞、組織または体液をＯｖｒ１０７について定期的に分析し、このような細胞、組織または体液におけるＯｖｒ１０７のレベルを正常ヒト対照の好ましくは同種の細胞、組織または体液におけるＯｖｒ１０７のレベルと比較することを含み、ここでは患者におけるＯｖｒ１０７のレベルの正常ヒト対照に対する増加が転移した癌に関係している。
【００１２】
さらに、ヒト患者における癌のステージの変化を、該患者のＯｖｒ１０７レベルを調べることによりモニタリングする方法が提供される。該方法は、癌を有するヒト患者を特定し、このような患者からの細胞、組織または体液をＯｖｒ１０７について定期的に分析し、このような細胞、組織または体液におけるＯｖｒ１０７のレベルを正常ヒト対照の好ましくは同種の細胞、組織または体液におけるＯｖｒ１０７のレベルと比較することを含み、ここで患者におけるＯｖｒ１０７のレベルの正常ヒト対照に対する増加が進行している癌に関係し、そして、Ｏｖｒ１０７のレベルの減少が消退しているまたは寛解期にある癌に関係する。
【００１３】
さらに、癌のイメージングおよび処置に用いるためのＯｖｒ１０７を標的にした新しい治療剤の設計方法が提供される。例えば、１つの態様では、Ｏｖｒ１０７を標的にした抗体またはこのような抗体の断片などの治療剤は、疾患または状態を検出または診断する目的で、患者におけるＯｖｒ１０７の局在を処置、検出またはイメージ化するために用いることができる。この態様において、検出された標識抗体の量が正常組織に比べ増加している場合は、腫瘍の転移または成長の指標となる。このような抗体は、ポリクローナル、モノクローナルまたはオムニクローナル（omniclonal）であることができ、または分子生物学的技術により調整することができる。ここで、そして、本明細書を通じて用いる場合、「抗体」という用語はまた、ＳＥＬＥＸと呼ばれる当業者によく知られたin vitroでの進化手順(evolution protocol)により誘導されたものなどのアプタマーおよび一本鎖オリゴヌクレオチドを含むこととする。抗体は、放射性同位体および常磁性金属を含むがこれらに限定されない様々な検出可能な標識で標識することができる。また、Ｏｖｒ１０７の濃度および／または活性を減少させる小分子および抗体またはそれらの断片などの治療剤を、Ｏｖｒ１０７の過剰発現を特徴とする疾患の処置に用いることができる。このような剤は、本明細書の教示に従い容易に同定することができる。
【００１４】
本発明のその他の目的、特徴、利点および側面は、以下の説明により当業者に明らかになるだろう。しかしながら、以下の説明および具体例は、本発明の好ましい態様を示しているが、ただ説明のためにのみ与えられていると理解されるべきである。本開示発明の精神および範囲内の様々な変化および変更は、以下の説明を読み、本開示の他の部分を読むことにより、当業者に容易に明らかになるだろう。
【発明の説明】
【００１５】
本発明は、なかでも、Ｏｖｒ１０７のレベルを正常ヒト対照におけるＯｖｒ１０７のレベルと比較することにより、癌の検出、診断、モニタリング、ステージング、予後判定、in vivoでのイメージングおよび処置のための量的および質的な診断アッセイおよび診断方法に関する。Ｏｖｒ１０７は、中でも、配列番号１のポリヌクレオチド配列を含む遺伝子により発現される天然のタンパク質に関する。本明細書で「Ｏｖｒ１０７」はまた、遺伝子コーディングの縮重により、配列番号１または２とは異なる核酸配列を含むが、同じタンパク質をコードしているポリヌクレオチドも意味する。別の側面では、本明細書で用いるＯｖｒ１０７により意味されるものは、配列番号１を含む遺伝子によりコードされる天然のｍＲＮＡを意味し、または、配列番号１または２を含む遺伝子自体、または、配列番号１のアンチセンス配列にストリンジェントな条件下でハイブリダイズすることが可能なポリヌクレオチドのレベルに関し得る。このようなレベルは好ましくは、細胞、組織および／または体液のうちの少なくとも１つにおいて測定し、正常および異常レベルの決定を含む。したがって、例えば、正常対照の体液、細胞または組織試料に比較したＯｖｒ１０７の過剰発現を診断するための本発明による診断アッセイは、卵巣癌を含む癌の存在を診断するのに用いることができる。Ｏｖｒ１０７は、本発明の方法においては単独で測定しても、または、より好ましくは、他の癌の診断マーカーと組合せて測定してもよい。したがって、本発明の方法は、Ｏｖｒ１０７と同様に他の癌マーカーのレベルの測定と組合せて使うことが好ましい。本発明に有用な、Ｏｖｒ１０７以外の他の癌マーカーは、当業者に知られており、テストする癌に依存するだろう。
【００１６】
Ｏｖｒ１０７の検出は、卵巣癌において特に有用である。しかしながら、このマーカーはまた、他の種類の癌の診断、予後判定、ステージング、イメージングおよび処置にも有用である。
【００１７】
診断アッセイ
本発明は、ヒト患者からの細胞、組織または体液におけるＯｖｒ１０７のレベルの、正常ヒト対照からの好ましくは同種の細胞、組織または体液におけるＯｖｒ１０７のレベルと比較した場合の変化を分析することにより、卵巣癌を含む癌の存在を診断する方法を提供し、ここで患者におけるＯｖｒ１０７のレベルの正常ヒト対照に対する増加が癌の存在に関係している。
本発明を限定することなく、量的診断アッセイにおいては、通常、テストした患者が癌を有することを示す陽性結果は、細胞、組織または体液におけるＯｖｒ１０７などの癌マーカーのレベルが、正常ヒト対照の好ましくは同じ細胞、組織または体液におけるより、少なくとも２倍高い、最も好ましくは５倍高い結果である。
【００１８】
本発明はまた、まだ転移していない癌を有する患者において、転移性の卵巣癌を含む転移性の癌を診断する方法も提供する。本発明の方法では、転移した可能性のある（しかし、事前に転移したことが知られていない）癌を有する疑いのある患者を特定する。これは、当業者に知られた様々な手段によって達成される。例えば、卵巣癌においては、患者は通常、従来の検出方法に従って卵巣癌と診断されている。
本発明において、細胞、組織または体液におけるＯｖｒ１０７の存在を決定することは、転移していない癌と転移した癌とを区別するのに特に有用である。既存の技術は、転移した癌と転移していない癌とを区別することが困難である。しかしながら、適切な処置の選択はしばしばこうした知識に依存している。
【００１９】
本発明では、ヒト患者の細胞、組織または体液において測定された癌マーカーレベルの１つはＯｖｒ１０７である。ヒト患者におけるレベルは、正常ヒト対照の好ましくは同種の細胞、組織または体液におけるＯｖｒ１０７レベルと比較される。つまり、観察された癌マーカーが血清中のＯｖｒ１０７である場合、このレベルは好ましくは正常ヒト対照の血清中のＯｖｒ１０７レベルと比較される。ヒト患者におけるＯｖｒ１０７の正常ヒト対照に対する増加は、転移した癌と関係している。
【００２０】
本発明を限定することなく、量的診断アッセイにおいては、通常、テストしたまたはモニタリングした患者の癌が転移したことを示す陽性結果は、細胞、組織または体液におけるＯｖｒ１０７などの癌マーカーのレベルが、正常ヒト対照の好ましくは同じ細胞、組織または体液におけるより、少なくとも２倍高い、最も好ましくは５倍高い結果である。
ここで用いる正常ヒト対照は、癌のないヒト患者および／または患者からの非癌性試料を含む。転移の診断またはモニタリングの方法において、正常ヒト対照は、転移する前の同一の患者からの試料など、転移していない卵巣癌などの癌を有することが信頼できる方法で決定されたヒト患者からの試料を含むことが好ましい。
【００２１】
ステージング
本発明はまた、ヒト患者において癌をステージングする方法も提供する。
該方法は、癌を有するヒト患者を特定し、このような患者の細胞、組織または体液試料をＯｖｒ１０７について分析することを含む。測定したＯｖｒ１０７のレベルは、次に、正常ヒト対照の好ましくは同種の細胞、組織または体液におけるＯｖｒ１０７レベルと比較され、ここでヒト患者におけるＯｖｒ１０７のレベルの正常ヒト対照に対する増加が進行している癌に関係し、そして、Ｏｖｒ１０７のレベルの減少が消退しているまたは寛解期にある癌に関係する。
【００２２】
モニタリング
さらに提供されるのは、ヒト患者における癌を、転移の開始についてモニタリングする方法である。該方法は、転移を有するとは知られていない癌を有するヒト患者を特定し、このような患者からの細胞、組織または体液をＯｖｒ１０７について定期的に分析し、そして、このような細胞、組織または体液におけるＯｖｒ１０７のレベルを正常ヒト対照の好ましくは同種の細胞、組織または体液におけるＯｖｒ１０７のレベルと比較することを含み、ここで患者におけるＯｖｒ１０７のレベルの正常ヒト対照に対する増加が転移した癌に関係する。
【００２３】
本発明によりさらに提供されるのは、癌のステージの変化をモニタリングする方法である。該方法は、癌を有するヒト患者を特定し、このような患者からの細胞、組織または体液をＯｖｒ１０７について定期的に分析し、そしてこのような細胞、組織または体液におけるＯｖｒ１０７のレベルを正常ヒト対照の好ましくは同種の細胞、組織または体液におけるＯｖｒ１０７のレベルと比較することを含み、ここで患者におけるＯｖｒ１０７のレベルの正常ヒト対照に対する増加がステージの進行している癌に関係し、そして、Ｏｖｒ１０７のレベルの減少がステージの後退しているまたは寛解期にある癌に関係する。
【００２４】
このような患者を転移の開始についてモニタリングする場合は、定期的に、そして好ましくは年４回を基礎に行なう。しかしながら、癌、特定の患者、および癌のステージによってはより高頻度に、または、より低頻度に行なってもよい。
【００２５】
予後判定テストおよび臨床試験のモニタリング
ここに記載した方法は、さらに、Ｏｖｒ１０７のレベルの増加に関係する疾患または異常を有するかまたは進行させる危険がある対象を特定するための予後判定アッセイに用いることができる。本発明は、テスト試料がＯｖｒ１０７が検出されたヒト患者から得られたものである方法を提供する。正常ヒト対照に比較して高いレベルのＯｖｒ１０７の存在は、該ヒト患者が癌、特に卵巣癌を進行させる危険があるという診断である。
【００２６】
Ｏｖｒ１０７の発現または活性を減少させる治療剤の有効性はまた、臨床試験でのヒト患者、または、ヒト細胞などにおけるin vitroのスクリーニングアッセイおけるＯｖｒ１０７の発現レベルを分析することによりモニタリングできる。このように、遺伝子発現パターンは、ヒト患者、または、場合によっては細胞の、テストされた剤への生理学的反応を示すマーカーとして利用できる。
【００２７】
遺伝子の損傷または突然変異の検出
本発明の方法は、Ｏｖｒ１０７における遺伝子損傷または突然変異を検出し、それにより遺伝子損傷を有するヒトが癌の危険を有するか、または、癌、特に卵巣癌を有するか決定することにも用いることができる。遺伝子の損傷は、例えば、Ｏｖｒ１０７からの１個または２個以上のヌクレオチドの欠失および／または付加および／または置換の存在、Ｏｖｒ１０７の染色体再構成の存在、Ｏｖｒ１０７の異常修飾（ゲノムＤＮＡのメチル化パターンなど）、Ｏｖｒ１０７のｍＲＮＡ転写物の非野生型スプライシングパターンの存在、Ｏｖｒ１０７の対立遺伝子の欠失、および／またはＯｖｒ１０７タンパク質の不適切な翻訳後修飾の存在を確認することにより検出できる。本発明のＯｖｒ１０７におけるこのような損傷を検出する方法は、当業者に知られている。
【００２８】
アッセイ技術
ヒト由来の試料において、本発明のＯｖｒ１０７などの遺伝子発現レベル(タンパク質レベルを含む)を決定するのに用いることができるアッセイ技術は当業者によく知られている。このようなアッセイ方法は、ラジオイムノアッセイ、逆転写酵素ＰＣＲ（ＲＴ‐ＰＣＲ）アッセイ、免疫組織化学アッセイ、in situハイブリダイゼーションアッセイ、結合蛋白競合アッセイ、ウェスタンブロット分析、ＥＬＩＳＡアッセイおよびプロテオミクスアプローチ（proteomic approache）、２次元ゲル電気泳動(２Ｄ電気泳動)および質量分析またはタンパク質相互作用プロファイリングなどのゲルに基づかないアプローチを含む。これらの中で、ＥＬＩＳＡが、生物学的液体における遺伝子の発現タンパク質の診断に好まれることが多い。
【００２９】
もし商業的に容易に入手できない場合、ＥＬＩＳＡ分析は、最初に、Ｏｖｒ１０７に特異的な抗体、好ましくはモノクローナル抗体の調整を含む。さらに、一般的に、Ｏｖｒ１０７に特異的に結合するレポーター抗体が調整される。レポーター抗体は、放射性試薬、蛍光試薬または例えば西洋ワサビペルオキシダーゼ酵素またはアルカリホスファターゼなどの酵素試薬などの検出可能な試薬に付着している。
【００３０】
ＥＬＩＳＡを行なう場合、Ｏｖｒ１０７に特異的な抗体は、例えばポリスチレンディッシュなどの、抗体を結合する固形支持体上でインキュベートされる。次に、ディッシュ上の任意の遊離タンパク質結合部位（free protein binding sites）は、ウシ血清アルブミンなどの非特異的タンパク質とインキュベートすることにより被覆される。次に、分析される試料は、Ｏｖｒ１０７がポリスチレンディッシュに付着した特異抗体に結合する時間中、ディッシュ内でインキュベートされる。非結合試料はバッファーで洗い流される。Ｏｖｒ１０７を特異的に指向し、西洋ワサビペルオキシダーゼなどの検出可能な試薬を連結したレポーター抗体がディッシュ内に設置され、該レポーター抗体がＯｖｒ１０７に結合した任意のモノクローナル抗体に結合する。次に非付着レポーター抗体が洗い流される。比色基質を含むペルオキシダーゼ活性のための試薬が、次にディッシュに加えられる。Ｏｖｒ１０７抗体に連結した、固定化したペルオキシダーゼが着色反応産物を産生する。所定の時間内に発生した色素の量は、試料中のＯｖｒ１０７タンパク質の量に比例している。量的な結果は、通常標準曲線を参照して得られる。
【００３１】
競合アッセイもまた用いることができ、そこでは、Ｏｖｒ１０７の特異抗体が固形支持体に付着しており、標識したＯｖｒ１０７および患者またはヒト対照に由来する試料が固形支持体上を通過する。固形支持体に付着した検出標識量を試料中のＯｖｒ１０７の量に相関させることができる。
【００３２】
本発明のＯｖｒ１０７の核酸配列の全てまたは一部をハイブリダイゼーションプローブとして用いた核酸法（nucleic acid method）もまた、卵巣癌を含む癌のマーカーとしてのＯｖｒ１０７のｍＲＮＡを検出するのに用いることができる。ポリメラーゼ連鎖反応（ＰＣＲ）、およびリガーゼ連鎖反応（ＬＣＲ）および核酸配列をもとにした増幅（ＮＡＳＡＢＡ）などのその他の核酸法を、様々な悪性腫瘍を診断およびモニタリングするための悪性細胞の検出に用いることができる。例えば、逆転写酵素ＰＣＲ（ＲＴ‐ＰＣＲ）は、特定のｍＲＮＡ集団の存在を、何千ものその他のｍＲＮＡ種の複雑な混合物の中で検出するために用いることができる強力な技術である。ＲＴ‐ＰＣＲにおいては、１種類のｍＲＮＡが、酵素である逆転写酵素を用いて最初に相補ＤＮＡ（ｃＤＮＡ）に逆転写され、次に該ｃＤＮＡが標準的なＰＣＲ反応と同様に増幅される。このように、ＲＴ‐ＰＣＲは、増幅により、単一種のｍＲＮＡの存在を明らかにすることができる。したがって、該ｍＲＮＡがそれを産生する細胞に高度に特異的である場合、ＲＴ‐ＰＣＲは、特定の種類の細胞の存在を同定するのに用いることができる。
【００３３】
固形支持体に配列（つまりグリッド化（gridding））されたクローンまたはオリゴヌクレオチドへのハイブリダイゼーションは、その遺伝子の発現の検出および発現レベルの定量の両方に用いることができる。この手法では、Ｏｖｒ１０７遺伝子をコードするｃＤＮＡが基材に固定される。基材は、ガラス、ニトロセルロース、ナイロンまたはプラスチックを含むがこれらに限定されない任意の好適な種類であってもよい。Ｏｖｒ１０７遺伝子をコードするＤＮＡの少なくとも一部を基材に付着させ、次に、当該組織から単離したＲＮＡまたはＲＮＡのコピーである相補ＤＮＡ（ｃＤＮＡ）であってもよい検体とインキュベートする。基材に結合したＤＮＡと検体とのハイブリダイゼーションは、検体またはハイブリッド検出用の二次分子を放射性標識または蛍光標識することを含むがこれらに限定されないいくつかの手段で検出し定量することができる。遺伝子の発現レベルの定量は、検体からの信号の強度を、既知の標準から決定したレベルと比較することによってなされる。標準は、標的遺伝子のin vitroでの転写、収量の定量化、そして、この材料を用いて標準曲線を作成することにより得ることができる。
【００３４】
プロテオミクスアプローチでは、２次元電気泳動が当業者によく知られた技術である。血清などの試料からの個別のタンパク質の単離は、通常ポリアクリルアミドゲル上での、タンパク質の異なる特性による配列決定的な分離（sequential separation）を用いて達成される。最初に、タンパク質は電流を用いて大きさにより分離される。電流は全てのタンパク質に均等に作用し、それにより、小さいタンパク質は大きいタンパク質よりもゲル上で早く移動する。第２次元では、第１次元に対して直角に電流をかけ、タンパク質を大きさに基づいてではなく、各タンパク質が有する特定の電荷に基づいて分離する。異なる配列の２つのタンパク質で大きさおよび電荷の両方に関して同一なものは存在しないため、２次元分離の結果は、各タンパク質が固有のスポットを占有する正方形のゲルとなる。該スポットの化学的プローブまたは抗体プローブによる分析、またはそれに引き続くタンパク質のマイクロシーケンスにより、所定のタンパク質の相対的な存在度を明らかにし、試料中のタンパク質の同定をすることができる。
【００３５】
上記のテストは、組織生検材料および検死解剖材料を含む患者から得られた様々な細胞、体液および／または組織抽出物（ホモジネートまたは可溶化した組織）に由来する試料について行なうことができる。本発明に有用な体液は、血液、尿、唾液または任意のその他の体分泌物またはそれらの派生物を含む。血液は、全血、血漿、血清、または任意の血液の派生物を含む。
【００３６】
Ｏｖｒ１０７のin vivoでのターゲティング／癌治療
Ｏｖｒ１０７の同定はまた、癌、そして特に卵巣癌のイメージングおよび処置のための新しい治療法の合理的な設計にとって有用である。例えば、１つの態様では、Ｏｖｒ１０７に特異的に結合する抗体を作製し、癌を患っている疑いのある患者にin vivoで用いることができる。Ｏｖｒ１０７に特異的に結合する抗体は、癌を有する疑いのある患者に、診断および／または治療の目的で、注射することができる。in vivoでの診断のための抗体の調整および使用は当該分野でよく知られている。たとえば、インジウム−１１１で標識した抗体−キレーターが、癌胎児性抗原を発現している腫瘍のラジオイムノシンチグラフィーによるイメージングでの使用に関して記述されている（Sumerdon et al. Nucl. Med. Biol. 1990 17:247-254）。特にこれらの抗体‐キレーターは、再発性の結腸直腸癌を有する疑いのある患者において腫瘍を検出するのに用いられた（Griffin et al. J. Clin. Onc. 1991 9:631-640）。磁気共鳴イメージングで用いる標識としての常磁性イオンを有する抗体もまた記述されている（Lauffer, R.B. Magnetic Resonance in Medicine 1991 22:339-342）。Ｏｖｒ１０７に対する抗体も同様に用いることができる。Ｏｖｒ１０７に特異的に結合する標識された抗体を、癌を有する疑いのある患者に、該患者の疾患の状態の診断またはステージングの目的で注射することができる。用いる標識は、用いるイメージングの様式に応じて選択できる。例えば、インジウム‐１１１、テクネチウム‐９９ｍまたはヨウ素‐１３１などの放射性標識は、平面スキャンまたはシングルフォトン断層撮影に用いることができる。フッ素‐１８（Ｆｌｕｏｒｉｎｅ−１８）などのポジトロン放出標識をポジトロン断層撮影に用いることができる。ガドリニウム（ＩＩＩ）またはマンガン（ＩＩ）などの常磁性イオンを磁気共鳴イメージングに用いることができる。標識の局在性は、癌の播種の決定を可能にする。また、器官または組織内の標識の量により、その器官または組織における癌の存在または欠如を決定することができる。
【００３７】
癌、そして特に卵巣癌と診断された患者にとって、Ｏｖｒ１０７に特異的に結合する抗体の注射もまた、治療上有益なことがある。抗体は単独でその治療効果を発揮するかもしれない。あるいは、該抗体を薬剤、毒素または放射性核種などの細胞毒性剤と結合させ、その治療効果を増強することができる。モノクローナル抗体薬剤は、当該分野において、例えばGarnett and Baldwin, Cancer Research 1986 46:2407-2412により記載されている。また、様々な癌の治療のために毒素を結合したモノクローナル抗体を使用することは、Pastan et al. Cell 1986 47:641-648により記載されている。イットリウム−９０標識モノクローナル抗体が、正常組織への毒性を制限しながら腫瘍に送達される用量を最大化することが記載されている(Goodwin and Meares Cancer Supplement 1997 80:2675-2680)。銅−６７、ヨウ素−１３１およびレニウム−１８６を含むがそれらに限定されないその他の細胞毒性放射性核種もまた、Ｏｖｒ１０７に対する抗体の標識に用いることができる。
【００３８】
in vivoでの方法に用いることができる抗体は、ポリクローナル、モノクローナルおよびオムニクローナル抗体、および分子生物学的技術により調整した抗体を含む。ＳＥＬＥＸと呼ばれる、当業者によく知られた進化手順に由来するものなどの抗体断片およびアプタマーおよび一本鎖オリゴヌクレオチドもまた用いることができる。
【００３９】
スクリーニングアッセイ
本発明はまた、Ｏｖｒ１０７タンパク質に結合する調節物質、または、Ｏｖｒ１０７タンパク質の発現または活性に関して調節効果を有する調節物質を同定する方法も提供する。Ｏｖｒ１０７タンパク質の発現または活性を減少させる調節物質は、癌の処置に有用と思われる。このようなスクリーニングアッセイは、当業者に知られており、細胞に基づくアッセイおよび細胞を用いないアッセイを含むが、これらに限定されない。
【００４０】
コンピューターイメージングによりＯｖｒ１０７の領域に特異的に結合すると予測された小分子もまた、癌のイメージングおよび処置に用いるために設計し、合成し、そしてテストすることができる。さらに、分子のＯｖｒ１０７への結合能力を調査することにより潜在的な抗癌剤について、分子ライブラリーをスクリーニングすることができる。ライブラリーにおいて、Ｏｖｒ１０７に結合できると同定された分子は、癌の処置に用いるためのさらなる評価への重要な候補である。好ましい態様では、これらの分子は、細胞におけるＯｖｒ１０７の発現および／または活性を下方調節することができる。
【００４１】
養子免疫療法およびワクチン
癌の養子免疫療法は、抗腫瘍反応性を有する免疫細胞を腫瘍保有宿主に投与し、該細胞が直接または間接に、定着した腫瘍の消退を誘導することを目的とする治療的手法に関する。リンパ球、特にＴリンパ球の移入はこの部類に該当し、国立癌研究所（National Cancer Institute）（ＮＣＩ）の研究者は、いくつかのヒトの癌の処置に、末梢血リンパ球または、皮下リンパ節の生検からのＴ細胞を培養した腫瘍浸潤リンパ球（ＴＩＬ）の自家輸血を用いた（Rosenberg, S. A.,米国特許第４，６９０，９１４号、１９８７年９月１日発行；Rosenberg, S. A., et al., 1988, N. England J. Med. 319:1676-1680）。
【００４２】
本発明は、ヒトにおける癌の予防および／または処置のための、熱ショックタンパク質（ｈｓｐ）の非共有複合体（non-covalent complexes）を含むまたは含まない抗原性のＯｖｒ１０７タンパク質に対して感作したマクロファージを用いた養子免疫療法の組成物および方法に関する。Ｏｖｒ１０７の抗原性または免疫原性は、Ｏｖｒ１０７タンパク質またはその断片の、抗体を産生し、または、ナイーブなエフェクター細胞を感作し、次いで抗原（またはエピトープ）を発現する標的細胞を溶解する能力により容易に確認された。
【００４３】
癌細胞は、その定義から、異常であり、正常な組織に存在しないために免疫系が外来性と認識するタンパク質を含んでいる。しかしながら、免疫系はしばしばこの異常を無視するようであり、腫瘍の攻撃に失敗する。癌細胞により産生された外来性のＯｖｒ１０７タンパク質は、それらの存在を明らかにするのに用いることができる。Ｏｖｒ１０７は腫瘍抗原と呼ばれる短い断片に崩壊し、細胞表面に現れる。これらの腫瘍抗原は、クラスＩおよびＩＩの２つの種類があるＭＨＣと呼ばれる分子により細胞表面に支持または提示される。ＭＨＣクラスＩ分子に関する腫瘍抗原は細胞傷害性Ｔ細胞に認識されるが、抗原‐ＭＨＣクラスＩＩ複合体は、ヘルパー細胞と呼ばれるＴ細胞の２番目のサブセットにより認識される。これらの細胞は、腫瘍の成長を遅延または停止させるサイトカインを分泌し、他の種類の白血球であるＢ細胞が、腫瘍細胞に対する抗体を産生するのを補助する。
【００４４】
養子免疫療法では、Ｔ細胞またはその他の抗原提示細胞（ＡＰＣ）は、体の外（ex vivo）で、腫瘍特異的Ｏｖｒ１０７抗原を用いて刺激される。刺激された細胞は、次に患者へ自家輸血され、そこで癌細胞を攻撃する。研究により、細胞傷害性Ｔ細胞とヘルパーＴ細胞の両方を用いた方が、どちらか一方のサブセットだけを用いるのに比べはるかに有効であることが示された。さらに、米国特許第５，９８５，２７０号に記載されているように、ＡＰＣを刺激するためにＯｖｒ１０７抗原は熱ショックタンパク質と複合体化してもよい。
【００４５】
ＡＰＣは、マクロファージ、樹状細胞、Ｂリンパ球およびこれらの組合せを含むがこれらに限定されない、当業者に知られたこれらの抗原提示細胞の中から選択することができ、好ましくはマクロファージである。好ましい使用においては、細胞はその個体の自家細胞であり、リンパ球、マクロファージまたはその他のＡＰＣなどの自家免疫細胞が、養子移植のための免疫細胞のドナーとして誰を選択するかという問題を回避するために用いられる。自家免疫細胞の使用によって回避できるその他の問題は、移植片対宿主病であり、これは処置に失敗すると致命的となることがある。
【００４６】
遺伝子治療を伴う養子免疫療法では、従来の遺伝子治療と同様にＯｖｒ１０７のＤＮＡをエフェクター細胞に導入することができる。これにより、エフェクター細胞の腫瘍細胞に対する細胞傷害性を、それらを抗原性タンパク質を産生するように操作しているために向上することができ、それにより養子免疫療法の改善がもたらされる。
この発明のＯｖｒ１０７抗原は、癌ワクチンの成分としてもまた有用である。ワクチンは、免疫刺激量（immunogenically stimulatory amount）のＯｖｒ１０７抗原を含む。免疫刺激量とは、レシピエントに、癌の改善または処置のために所望する免疫反応を惹起することが可能な抗原の量のことをいう。有効な量は、当業者によく知られた標準的な手順により経験的に決定してもよい。
【００４７】
Ｏｖｒ１０７抗原は、例えば抗体および／または細胞媒介性の所望する種類の免疫反応を誘導するための多くの任意のワクチン製剤に提供されてもよい。このような製剤は当該分野に知られており、米国特許第５，５８５，１０３号に記載されているような製剤を含むが、それらに限定されない。免疫反応を刺激するのに用いられる本発明のワクチン製剤はまた、薬学的に許容し得るアジュバントを含むことができる。
【実施例】
【００４８】
例
本発明を、以下の例でさらに説明する。当該例は、特定の態様の参照により単に本発明を説明するためだけに提供される。この例示は、本発明のある特定の側面を説明するが、該開示発明の限定を記述するものでも、また、その範囲を制限するものでもない。
本明細書に記載された実験は、詳細に記載されている場合を除き、当業者によく知られ、定法となっている標準的な技術を用いて行なった。定法による分子生物学的技術は、Sambrook et al., MOLECULAR CLONING: A LABORATORY MANUAL, 2nd Ed.; Cold Spring Harbor Laboratory Press, Cold Spring Harbor, N.Y. (1989)などの標準的な実験手引書に記載されている通りに行なった。
【００４９】
遺伝子発現の相対定量
蛍光Ｔａｑｍａｎプローブによるリアルタイム定量ＰＣＲは、Ｔａｑ  ＤＮＡポリメラーゼの５’−３’ヌクレアーゼ活性を用いた定量検出システムである。この方法は、５’レポーター色素および下流側の３’消光色素でラベルされた内部蛍光オリゴヌクレオチドプローブ（internal fluorescent oligonucleotide probe）（Ｔａｑｍａｎ）を用いる。ＰＣＲ中、Ｔａｑ  ＤＮＡポリメラーゼの５’−３’ヌクレアーゼ活性はレポーターを放出し、その蛍光はModel 7700 Sequence Detection System（PE Applied Biosystems, Foster City, CA, USA）のレーザー検出器で検出できる。
【００５０】
反応に加えたＲＮＡ試料の量を標準化し、逆転写酵素の効率を正規化するのに内在性対照の増幅を用いる。シクロフィリン、グリセルアルデヒド−３−リン酸デヒドロゲナーゼ（ＧＡＰＤＨ）または１８ＳリボソームＲＮＡ（ｒＲＮＡ）のいずれかをこの内在性対照として用いる。調査した全試料間の相対定量を計算するために、１つの試料の標的ＲＮＡレベルを比較結果（キャリブレータ）の基礎として用いた。「キャリブレータ」に関する定量は、標準曲線法または比較法を用いて得ることができる（User Bulletin #2: ABI PRISM 7700 Sequence Detection System）。
【００５１】
正常および癌組織の各例について標的遺伝子の組織分布およびレベルを評価した。全ＲＮＡを、正常組織、癌組織、および癌とその対応する隣接組織から抽出した。次に、逆転写酵素により第一鎖ｃＤＮＡを調整し、各標的遺伝子に特異的なプライマーおよびＴａｑｍａｎプローブを用いてポリメラーゼ連鎖反応を行った。結果をABI PRISM 7700 Sequence Detectorで分析した。無名数は、キャリブレータ組織と比較した特定の組織における標的遺伝子の相対発現レベルである。
発現分析に用いたプライマーは、
リバース：5'-CCCAATAGCGGAAGTCGATCT-3'（配列番号２）
フォワード：5'-CACTCCCAGCCAGTCCAGAT-3'（配列番号３）
Ｏｖｒ１０７プローブ：5'-AATCTGCTCCGGCCCTGGTCTT-3'(配列番号４)を含む。
【００５２】
表１に示した無名数は、１２の異なる正常組織におけるＯｖｒ１０７（クローンID 817834；遺伝子ID 403869とも呼ばれる）の相対発現レベルである。すべての数値は正常膵臓（キャリブレータ）と比較してある。これらのＲＮＡ試料は、異なる個体からの特定組織のプール試料に由来する、商業的に入手可能なプールである。
【００５３】
【表１】
2004161776.tif 000002
【００５４】
表１の発現の相対レベルによると、Ｏｖｒ１０７が分析した全ての正常組織で発現していることが分かる。胃が３８．５９と最も高い相対発現レベルを示し、肝臓が０．０８で最も低い発現値を示した。
表１の無名数は、異なる個体からの特定組織の試料プールを分析して得た。これらを単一の個体の組織試料から得たＲＮＡに由来する表２の無名数と比較することはできない。
【００５５】
表２に示した無名数は、４７組の対応試料におけるＯｖｒ１０７の相対発現レベルを示している。すべての数値は正常膵臓（キャリブレータ）と比較してある。対応ペアは、特定組織の癌試料からのｍＲＮＡと、同一個体のその同一組織についての正常隣接組織からのｍＲＮＡにより形成した。さらに、１２の対応していない癌試料(卵巣由来)および１４の対応していない正常試料(卵巣由来)もテストした。
【００５６】
【表２】
2004161776.tif 000003
【００５７】
【表３】
2004161776.tif 000004
【００５８】
【表４】
2004161776.tif 000005
【００５９】
表１および表２は合わせて、合計１５の異なる種類の組織からの１３２の試料を示している。
表２に示すように、分析した１４の異なる組織からの１２０の試料全てがＯｖｒ１０７の発現を示していた(発現値＞０．００)。
【００６０】
さらに、ｍＲＮＡの発現レベルを、対応していない卵巣試料を除き、癌試料と同一個体からの同系の正常隣接組織とで比較した。この比較は、癌の特異性についての指標を提供する（例えば、正常隣接組織に比較した、癌試料におけるｍＲＮＡの高い発現レベル）。表２は、分析した４７の対応試料のうち３５(卵巣１、膵臓、前立腺、小腸１および２、精巣、子宮１、２および４、膀胱、子宮内膜１、４、５、６、７および１０、腎臓２、３および４、肝臓２、肺２、３、４および５、乳腺１、２、３および４、結腸１、２、４および５、および、胃３、４および５)(７４％)でＯｖｒ１０７が過剰発現していることを示している。
【００６１】
対応していない卵巣試料については、１３の癌試料のうち１１(８５％)が、対応していない正常卵巣試料の中央値(１．８２)よりも高いＯｖｒ１０７の発現値を示し、１３のうち１０(７７％)が正常卵巣で見られた最高値よりも高い発現値を示した。
つまり、広範な組織分布に加え、大半の癌試料において正常試料に比べｍＲＮＡが過剰発現していることは、Ｏｖｒ１０７が卵巣癌だけでなく、癌一般のマーカーであることを示すものである。
【配列表】
2004161776000001.app